(57)【特許請求の範囲】
【請求項１】
無線通信機における受信周波数をスキャンニングさせる受信周波数スキャンニング装置において、受信周波数範囲中の予め設定された第１のスキャンニング周波数範囲を予め設定された第１のスキャンニングスピードでスキャンニングさせる第１のスキャンニング制御手段と、
第１のスキャンニング周波数範囲内において第２のスキャンニング中心周波数指定手段によって目的周波数を予め指定し、スキャンニング周波数幅設定手段によってスキャンニング周波数幅を予め設定し、指定された目的周波数と設定されたスキャンニング周波数幅とに基づき指定された目的周波数を含む第２のスキャンニング周波数範囲を演算する第２のスキャンニング周波数範囲演算手段と、
演算された第２のスキャンニング周波数範囲を第１のスキャンニングスピードよりも遅い第２のスキャンニングスピードでスキャンニングさせる第２のスキャンニング制御手段と、
を備えたことを特徴とする受信周波数スキャンニング装置。
【請求項２】
請求項１記載の受信周波数スキャンニング装置において、第１のスキャンニング周波数範囲において１以上の第２のスキャンニング周波数範囲を設けたことを特徴とする受信周波数スキャンニング装置。
【請求項３】
請求項１記載の受信周波数スキャンニング装置において、第１のスキャンニング周波数範囲を第１のスキャンニングスピードにてスキャンニング中に、第１のスキャンニングスピードを変更したときは変更された第１のスキャンニングスピードにて第１のスキャンニング周波数範囲をスキャンニングさせることを特徴とする受信周波数スキャンニング装置。
【発明の詳細な説明】
【０００１】
【発明の属する技術分野】
本発明は無線通信機における受信周波数スキャンニング装置に関する。
【０００２】
【従来の技術】
無線通信機における従来の受信周波数スキャンニング方法として、（ａ）定められた周波数範囲を定められた速度でスキャンニングしたり、（ｂ）目的の周波数でスキャンニングを停止し、該停止周波数に所定時間とどまり、所定時間経過したときからスキャンニングを再開したりすることが行われている。
【０００３】
上記した従来の（ａ）に記した受信周波数スキャンニング方法について図３に示す構成図および図４に示すフローチャートに基づき説明する。
【０００４】
受信周波数設定手段１により設定された受信周波数、または更新された受信周波数は、マイクロコンピュータからなる制御回路１０Ａの制御の下に、ＲＡＭ９Ａに形成された受信周波数データ記憶領域９Ａ−１に格納されると共に、制御回路１０Ａの制御の下に受信回路制御手段７と表示手段８とにアクセスして、受信および表示が行われる。スキャンニング周波数範囲指示手段２Ａによりスキャンニング周波数範囲が指示されると、スキャンニング周波数範囲指示手段２Ａにて設定されたスキャンニング上限周波数と下限周波数とが制御回路１０Ａの制御の下にＲＡＭ９Ａのスキャンニング上限周波数データ記憶領域９Ａ−２、スキャンニング下限周波数データ記憶領域９Ａ−３に格納される。
【０００５】
スキャンニング停止中にスキャンニング開始／終了指示手段３Ａが操作されるとスキャンニング開始指示がなされ、スキャンニングスピード設定手段４Ａにて設定されてＲＡＭ９Ａ−４に格納されているスキャンニングスピードデータが参照されて、該スキャンニングスピードデータに基づく速さで次の受信周波数に移動するまでの周波数切り替え時間が計算され、その周波数切り替え時間がタイマーに設定されて、計時カウントが開始される（ステップＳ２０）。この時点から受信周波数のスキャンニングが開始される。
【０００６】
スキャンニング中にスキャンニングスピード設定手段４Ａによる設定操作がなされないときは（ステップＳ２１）、タイマーに設定された次の周波数に移るまでの周波数切り替え時間が経過しているか否かがチェックされ（ステップＳ２２）、次の周波数に移るまでの周波数切り替え時間が経過していると判別されると、受信周波数に予め定めた周波数が加算され（ステップＳ２３）、加算結果の受信周波数がスキャンニング上限周波数を超えているか否かがチェックされる（ステップＳ２４）。
【０００７】
ステップＳ２４において受信周波数がスキャンニング上限周波数を超えていないと判別されると、スキャンニングスピードデータが参照されて次の周波数に移るまでの周波数切り替え時間が計算され、該時間がタイマーにセットされる（ステップＳ２６）。ステップＳ２４において受信周波数がスキャンニング上限周波数を超えていると判別されると、受信周波数がスキャンニング下限周波数に更新されて（ステップＳ２５）、ステップＳ２６から実行される。この結果、スキャンニング上限周波数と下限周波数の範囲わたって、設定されたスキャンニングスピードにより、予め定めた周波数毎に受信周波数のスキャンニングが繰り返されることになる。
【０００８】
ステップＳ２６に続き、受信回路制御手段７と表示手段８がアクセスされて更新された周波数の受信がなされると共に、該周波数の表示がなされ（ステップＳ２８）、続いて、スキャンニング開始／終了指示手段３Ａが操作されたか否かがチェックされ（ステップＳ２９）、スキャンニング開始／終了指示手段３Ａが操作されていないと判別されたときはステップＳ２１から繰り返されて、スキャンニングの継続がなされる。ステップＳ２９において、スキャンニング開始／終了指示手段３Ａが操作されたと判別されたときはスキャンニングが停止されて、ステップＳ２８における周波数の受信が継続してなされる。
【０００９】
ステップＳ２２において周波数切り替え時間が経過していないと判別されると、ステップＳ２２に次いでステップＳ２９から実行される。スキャンニング中にスキャンニングスピード設定手段４Ａによる設定操作がされると（ステップＳ２１）、スキャンニングスピードデータが設定されたスキャンニングスピードに更新され（ステップＳ２７）、更新されたスキャンニングスピードデータが参照されて次の周波数に移るまでの周波数切り替え時間が計算され、該時間がタイマーにセットされる（ステップＳ２６）。
【００１０】
この結果、スキャンニング上限周波数と下限周波数の範囲わたって、設定されたスキャンニングスピードにより、受信周波数のスキャンニングが繰り返されることになる。
【００１１】
上記した従来の（ｂ）に記した受信周波数スキャンニング方法について図５に示す構成図および図６に示すフローチャートに基づき説明する。
【００１２】
上記した従来の（ｂ）に記した受信周波数スキャンニング方法による受信周波数スキャンニングの場合には、上記した従来の（ａ）の場合に加えるに、出力を制御回路１０Ｂに供給するスキャンニング一時停止周波数設定手段１１と、ＲＡＭ９Ａ中に加えるにスキャンニング一時停止周波数データ記憶領域９Ｂ−５を有してスキャンニング一時停止周波数設定手段１１によって設定されたスキャンニング一時停止周波数を格納するように構成されたＲＡＭ９Ｂとを備え、その他は従来の（ａ）の場合と同様に構成されている。なお、従来の（ｂ）に記した場合は、制御回路１０Ａに代わって制御回路１０Ｂを備えている。
【００１３】
従来の（ｂ）の場合において、図４に示す従来の（ａ）のステップＳ２０からステップＳ２９に対応するステップＳ３０からステップＳ３７、ステップＳ４１およびステップＳ４２に加えて、ステップＳ３８からステップＳ４０を備えている。
【００１４】
スキャンニング停止中にスキャンニング開始／終了指示手段３Ａが操作されるとスキャンニング開始指示がなされ、スキャンニングスピード設定手段４Ａにて設定されてＲＡＭ９Ｂ−４に格納されているスキャンニングスピードデータが参照されて、該スキャンニングスピードデータに基づく速さで次の受信周波数に移動するまでの周波数切り替え時間が計算され、その周波数切り替え時間がタイマーに設定されて、計時カウントが開始される（ステップＳ３０）。この時点で受信周波数のスキャンニングが開始される。
【００１５】
スキャンニング中にスキャンニングスピード設定手段４Ａによる設定操作がされたか否かがチェックされ（ステップＳ３１）、スキャンニングスピード設定手段４Ａによる設定操作がされていないと判別されると、タイマーに設定された次の周波数に移るまでの周波数切り替え時間が経過しているか否かがチェックされ（ステップＳ３２）、次の周波数に移るまでの周波数切り替え時間が経過していると判別されると、受信周波数に予め定めた周波数が加算される（ステップＳ３３）。
【００１６】
ステップＳ３３における加算の結果、受信周波数がスキャンニング上限周波数を超えているか否かがチェックされる（ステップＳ３４）。ステップＳ３４において受信周波数がスキャンニング上限周波数を超えていないと判別されると、受信周波数がスキャンニング一停止周波数に一致しているか否かがチェックされる（ステップＳ３８）。ステップＳ３４において受信周波数がスキャンニング上限周波数を超えていると判別されると、受信周波数がスキャンニング下限周波数に更新されて（ステップＳ３５）、ステップＳ３８が実行される。
【００１７】
ステップＳ３８において、受信周波数がスキャンニング一停止周波数に一致していると判別されると、予め定められた停止時間がタイマーに設定され（ステップＳ３９）、続いて、受信回路７と表示手段８がアクセスされて更新された周波数の受信がなされると共に、該周波数の表示がなされ（ステップＳ４１）、スキャンニング開始／終了指示手段３Ａが操作されたか否かがチェックされる（ステップＳ４２）。
【００１８】
ステップＳ４２において、スキャンニング開始／終了指示手段３Ａが操作されていないと判別されたときはステップＳ３１から繰り返されて、スキャンニングの継続がなされる。ステップＳ４２において、スキャンニング開始／終了指示手段３Ａが操作されたと判別されたときはスキャンニングが停止されて、ステップＳ４１における周波数の受信が継続してなされる。
【００１９】
ステップＳ３１においてスキャンニング中にスキャンニングスピード設定手段４Ａによる設定操作がされると、スキャンニングスピードデータが設定されたスキャンニングスピードに更新され（ステップＳ３７）、受信周波数がスキャンニング一時停止周波数と一致するか否かがチェックされ（ステップＳ４０）、一致しないと判別されると、更新されたスキャンニングスピードデータが参照されて次の周波数に移るまでの周波数切り替え時間が計算され、該時間がタイマーにセットされ（ステップＳ３６）、続いてステップＳ４２から実行される。ステップＳ４０において、一致していると判別されたときはステップＳ３６がスキップされて、ステップＳ４２が実行される。
【００２０】
ステップＳ３２において周波数切り替え時間が経過していないと判別されると、ステップＳ３２に続いてステップＳ４２から実行される。
【００２１】
この結果、スキャンニング上限周波数と下限周波数の範囲わたって、設定されたスキャンニングスピードにより、予め定めた周波数毎にスキャンニングが繰り返され、スキャンニングの途中において受信周波数がスキャンニング一時停止周波数に一致すると、予め定めた停止時間スキャンニングが一時停止されることになる。
【００２２】
【発明が解決しようとする課題】
しかしながら、スキャンニング周波数範囲内において、受信しようとする複数の相手方がその周波数範囲の中に均一に分散して存在するときは上記した従来の方式（ａ）でも実用的であるが、アマチュア無線の場合、受信しようとする相手の周波数が例えば１０ｋＨｚで割り切れる受信周波数（例えば、５０．１１０ＭＨｚ、５０．１２０ＭＨｚ、５０．１３０ＭＨｚ……）で相手局が存在する確率が高い運用もある。
【００２３】
このような運用のときに従来の方式（ａ）では相手の周波数間の周波数移動に不要な時間を費やすことになって、受信周波数を移動している期間中に受信の機会を失うという問題点がある。
【００２４】
一方、従来の方式（ｂ）はＦＭチューナーのような受信機の場合は効果的である。受信周波数（例えば、５０．１１０ＭＨｚ、５０．１２０ＭＨｚ、５０．１３０ＭＨｚ……）に定められた時間とどまることで、重要な周波数に時間的重み付けをすることは可能である。
【００２５】
しかし、アマチュア無線の場合には周波数ずれの問題があり、さらにアマチュア無線のようにＳＳＢやＣＷといった電波形式を使用する場合、受信周波数がずれると復調ができなくなり、通信の内容が了解できないという問題点がある。
【００２６】
本発明はアマチュア無線等のように受信周波数ずれと、受信周波数ずれにより復調が困難になるＳＳＢ、ＣＷといった電波形式に有効な受信周波数スキャンニング装置を提供することを目的とする。
【００２７】
【課題を解決するための手段】
本発明にかかる受信周波数スキャンニング装置は、無線通信機における受信周波数をスキャンニングさせる受信周波数スキャンニング装置において、受信周波数範囲中の予め設定された第１のスキャンニング周波数範囲を予め設定された第１のスキャンニングスピードでスキャンニングさせる第１のスキャンニング制御手段と、
第１のスキャンニング周波数範囲内において第２のスキャンニング中心周波数指定手段によって目的周波数を予め指定し、スキャンニング周波数幅設定手段によってスキャンニング周波数幅を予め設定し、指定された目的周波数と設定されたスキャンニング周波数幅とに基づき指定された目的周波数を含む第２のスキャンニング周波数範囲を演算する第２のスキャンニング周波数範囲演算手段と、
演算された第２のスキャンニング周波数範囲を第１のスキャンニングスピードよりも遅い第２のスキャンニングスピードでスキャンニングさせる第２のスキャンニング制御手段と、
を備えたことを特徴とする。
【００２８】
本発明にかかる受信周波数スキャンニング装置によれば、無線通信機における受信周波数をスキャンニングさせる受信周波数スキャンニング装置において、受信周波数範囲中の予め設定された第１のスキャンニング周波数範囲が予め設定された第１のスキャンニングスピードでスキャンニングされ、第１のスキャンニング周波数範囲内において予め設定された目的受信周波数を含む予め設定されたスキャンニング幅の第２のスキャンニング周波数範囲が第１のスキャンニングスピードよりも遅いスキャンニングスピードの第２のスキャンニングスピードでスキャンニングされる。したがって、目的受信周波数がずれても復調が可能にになり、ＳＳＢ、ＣＷの電波形式の受信ができることになる。
【００２９】
本発明にかかる受信周波数スキャンニング装置において、第１のスキャンニング周波数範囲において１以上の第２のスキャンニング周波数範囲を設けてもよく、また、第１のスキャンニング周波数範囲を第１のスキャンニングスピードにてスキャンニング中に、第１のスキャンニングスピードを変更したときは変更された第１のスキャンニングスピードにて第１のスキャンニング周波数範囲をスキャンニングさせてもよい。
【００３０】
【発明の実施の形態】
以下、本発明にかかる受信周波数スキャンニング装置を実施の一形態によって説明する。
【００３１】
図１は本発明の実施の一形態にかかる受信周波数スキャンニング装置の構成を示すブロック図であり、図２は図１に示す受信周波数スキャンニング装置の作用の説明に供するフローチャートである。
【００３２】
受信周波数設定手段１により設定された受信周波数、または更新された受信周波数は、マイクロコンピュータからなる制御回路１０の制御の下に、ＲＡＭ９に形成された受信周波数データ記憶領域９−１に格納されると共に、制御回路１０の制御の下に受信回路制御手段７と表示手段８とにアクセスして、受信および表示が行われる。
【００３３】
第１のスキャンニング周波数範囲指示手段２により第１のスキャンニング周波数範囲が指示されると、第１のスキャンニング周波数範囲指示手段２にて設定された第１のスキャンニング上限周波数と同下限周波数とが制御回路１０の制御の下にＲＡＭ９の第１のスキャンニング上限周波数データ記憶領域９−２、第１のスキャンニング下限周波数データ記憶領域９−３に格納される。
【００３４】
同様に、第１のスキャンニングスピード設定手段４にて設定された第１のスキャンニングスピードはＲＡＭ９における第１のスキャンニングスピードデータ記憶領域９−４に格納され、第２のスキャンニングスピード設定手段１２にて設定された第２のスキャンニングスピードはＲＡＭ９における第２のスキャンニングスピードデータ記憶領域９−５に格納される。ここで、第２のスキャンニングスピードは第１のスキャンニングスピードより遅く設定される。
【００３５】
また、目的受信周波数を指示するための第２のスキャンニング中心周波数指示手段５にて指示された第２のスキャンニング中心周波数はＲＡＭ９における第２のスキャンニング中心周波数データ記憶領域９−６に格納され、第２のスキャンニング幅の周波数を設定するスキャンニング周波数幅設定手段６にて設定されたスキャンニング幅の周波数はＲＡＭ９における第２のスキャンニング周波数幅データ記憶領域９−７に格納される。
【００３６】
制御回路１０は、機能的に、ＲＡＭ９の記憶内容を更新したりするほかに、受信周波数範囲中の第１のスキャンニング周波数範囲指定手段２によって指定された第１のスキャンニング周波数範囲を第１のスキャンニングスピード設定手段４によって設定された第１のスキャンニングスピードでスキャンニングさせる第１のスキャンニング制御部１０−１と、第１のスキャンニング周波数範囲内において目的受信周波数として第２のスキャンニング中心周波数指示手段５によって指示された周波数を含むスキャンニング周波数幅設定手段６によって設定された幅の周波数を第２のスキャンニング周波数範囲として第２のスキャンニング周波数範囲を第２のスキャンニングスピード設定手段１２によって設定された、第１のスキャンニングスピードよりも遅いスキャンニングスピードの第２のスキャンニングスピードでスキャンニングさせる第２のスキャンニング制御部１０−２とを備えている。
【００３７】
さらに制御回路１０は、機能的に、目的受信周波数として第２のスキャンニング中心周波数指示手段５によって指示された周波数とスキャンニング周波数幅設定手段６によって設定された幅の周波数とから、目的周波数を含む第２のスキャンニング周波数範囲を演算する第２のスキャンニング周波数範囲演算部１０−３を備えている。
【００３８】
ここで、第２のスキャンニング中心周波数指示手段５にて指示された第２のスキャンニング中心周波数は複数でもよく、スキャンニング周波数幅設定手段６で第２のスキャンニング幅の周波数が設定されて、この設定により第２のスキャンニング周波数範囲は、｛第２のスキャンニング中心周波数±（スキャンニング幅の周波数）｝間の周波数範囲と演算される。
【００３９】
また、第２のスキャンニング中心周波数指示手段５に代わって第２のスキャンニング下限（または上限）周波数を設定し、スキャンニング周波数幅設定手段６で第２のスキャンニング幅の周波数を設定して、この設定により第２のスキャンニング周波数範囲を目的周波数を含む周波数範囲である｛第２のスキャンニング下限（または上限）周波数＋（または−）スキャンニング幅の周波数）｝の周波数範囲と演算してもよい。
【００４０】
スキャンニング停止中にスキャンニング開始／終了指示手段３が操作されるとスキャンニング開始指示がされ、制御回路１０により、第１のスキャンニングスピード設定手段４にて設定されてＲＡＭ９−４に格納されている第１のスキャンニングスピードデータが参照されて、該第１のスキャンニングスピードデータに基づく早さで次の受信周波数に移動するまでの周波数切り替え時間が計算され、その周波数切り替え時間がタイマーに設定されて、計時カウントが開始される（ステップＳ０）。この時点から受信周波数のスキャンニングが開始される。
【００４１】
スキャンニング中に第１のスキャンニングスピード設定手段４による設定操作がなされたか否かがチェックされ（ステップＳ１）、操作されていないと判別されたときは、タイマーに設定された次の周波数に移るまでの周波数切り替え時間が経過したか否かがチェックされ（ステップＳ２）、ステップＳ２において周波数切り替え時間が経過していると判別されると、次いで、受信周波数に予め定めた周波数が加算される（ステップＳ３）。
【００４２】
ステップＳ３において、予め定めた周波数の加算結果による受信周波数が、第１のスキャンニング上限周波数を超えているか否かがチェックされる（ステップＳ４）。ステップＳ４において受信周波数が第１のスキャンニング上限周波数を超えていないと判別されると、受信周波数が第２のスキャンニング周波数範囲内か否かがチェックされる（ステップＳ１１）。ステップＳ３における加算結果の受信周波数が第１のスキャンニング上限周波数を超えていると判別されると、受信周波数が第１のスキャンニング下限周波数に更新されて（ステップＳ５）、ステップＳ１１から実行される。
【００４３】
ステップＳ１１において、受信周波数が第２のスキャンニング周波数範囲内であると判別されると、ステップＳ１１に続いて第２のスキャンニングスピードが参照されて、次の周波数に移るまでの周波数切り替え時間が計算され、その周波数切り替え時間がタイマーに設定され（ステップＳ１３）、受信回路制御手段７と表示手段８がアクセスされて、更新された受信周波数の受信がなされると共に、該周波数の表示がなされ（ステップＳ１４）、スキャンニング開始／終了指示手段３が操作されたか否かがチェックされる（ステップＳ１５）。
【００４４】
ステップＳ１５において、スキャンニング開始／終了指示手段３が操作されていないと判別されたときはステップＳ１から繰り返されて、スキャンニングの継続がなされる。ステップＳ１４において、スキャンニング開始／終了指示手段３が操作されたと判別されたときはスキャンニングが停止されて、ステップＳ１４における周波数の受信が継続してなされる。
【００４５】
この場合において、ステップＳ１１およびステップＳ１３の実行によって、第２のスキャンニング周波数範囲内を第２のスキャンニングスピードでスキャンニングされる。
【００４６】
ステップＳ１１において受信周波数が第２のスキャンニング周波数の範囲内でないと判別されると、ステップＳ１１に続いて、第１のスキャンニングスピードデータが参照されて次の周波数に移るまでの周波数切り替え時間が計算され、その周波数切り替え時間がタイマーにセットされ（ステップＳ１２）、ステップＳ１４から繰り返される。
【００４７】
ステップＳ２において、次の周波数に移るまでの周波数切り替え時間を経過していないと判別されたときは、ステップＳ２に続いてステップＳ１５が実行される。ステップＳ２、ステップＳ１５を経由してステップＳ１から実行されるときは、第１のスキャンニングスピードで受信周波数スキャンニングの継続がなされる。
【００４８】
ステップＳ１において、第１のスキャンニングスピード設定手段４の設定がなされると、設定された第１のスキャンニングスピードデータに第１のスキャンニングスピードが更新され（ステップＳ７）、続いて、受信周波数が第２のスキャンニング周波数範囲内であるか否かがチェックされる（ステップＳ１０）。ステップＳ１０において受信周波数が第２のスキャンニング周波数範囲内であると判別されたときは、ステップＳ１０に次いでステップＳ１４から繰り返して実行される。ステップＳ１０において、受信周波数が第２のスキャンニング周波数範囲内でないと判別されたときは、ステップＳ１０に続いてステップＳ１２から実行される。
【００４９】
上記の結果、スキャンニングが継続されるときは、第２のスキャンニング周波数範囲を除く第１のスキャンニング周波数範囲にわたって、設定された第１のスキャンニングスピードにてスキャンニング動作がなされ、第２のスキャンニング周波数範囲にわたって、設定された第２のスキャンニングスピードにてスキャンニング動作がなされる。スキャンニング中にスキャンニング開始／終了手段３が操作されるとスキャンニングが終了されて、更新された受信周波数の受信が行われる。
【００５０】
また、スキャンニング中に第１のスキャンニングスピードが更新されたときは、第２のスキャンニング周波数範囲を除く第１のスキャンニング周波数範囲は更新された第１のスキャンニングスピードでスキャンニングされることになる。
【００５１】
ここで、例えば、第１のスキャンニング周波数範囲を５０．１００ＭＨｚ〜５０．２００ＭＨｚに設定し、第１のスキャンニングスピードを１００Ｈｚ／秒に設定し、目的受信周波数である第２のスキャンニング中心周波数を５０．１１０ＭＨｚ、５０．１２０ＭＨｚに指示し、スキャンニング幅の周波数を１００Ｈｚに設定し、第２のスキャンニングスピードを１０Ｈｚ／秒に設定したとき、第２のスキャンニング周波数範囲は｛第２のスキャンニング中心周波数±（スキャンニング幅の周波数）｝から、５０．１０９９ＭＨｚ〜５０．１１０１ＭＨｚ、５０．１１９９ＭＨｚ〜５０．１２０１ＭＨｚとなる。
【００５２】
この結果、第２のスキャンニング周波数範囲は第１のスキャンニングスピードより遅い１０Ｈｚ／秒の第２のスキャンニングスピードで受信周波数がスキャンニングされ、第２のスキャンニング周波数範囲５０．１０９９ＭＨｚ〜５０．１１０１ＭＨｚ、５０．１１９９ＭＨｚ〜５０．１２０１ＭＨｚを除く第１のスキャンニング周波数範囲５０．１００ＭＨｚ〜５０．２００ＭＨｚは第２のスキャンニングスピードより速い１００Ｈｚ／秒の第１のスキャンニングスピードでスキャンニングする、スキャンニング動作が行われる。
【００５３】
また、第２のスキャンニング中心周波数指示手段５に代わって第２のスキャンニング下限（または上限）周波数を設定し、スキャンニング周波数幅設定手段６で第２のスキャンニング幅の周波数を設定するようにした場合も、スキャンニング下限周波数を５０．１０９９ＭＨｚ、５０．１１９９ＭＨｚと設定し、スキャンニング幅の周波数を２００Ｈｚに設定したとき、第２のスキャンニング周波数範囲は｛第２のスキャンニング下限周波数＋スキャンニング幅の周波数）｝から、５０．１０９９ＭＨｚ〜５０．１１０１ＭＨｚ、５０．１１９９ＭＨｚ〜５０．１２０１ＭＨｚとなり、目的周波数を含む第２のスキャンニング周波数範囲が設定される。
【００５４】
また、スキャンニング上限周波数を５０．１１０１ＭＨｚ、５０．１２０１ＭＨｚと設定し、スキャンニング幅の周波数を２００Ｈｚに設定したとき、第２のスキャンニング周波数範囲は（第２のスキャンニング上限周波数−スキャンニング幅の周波数）から、５０．１０９９ＭＨｚ〜５０．１１０１ＭＨｚ、５０．１１９９ＭＨｚ〜５０．１２０１ＭＨｚとなり、目的周波数を含む第２のスキャンニング周波数範囲が設定される。
【００５５】
第２のスキャンニングスピードは第１のスキャンニングスピードよりも遅いスピードに第２のスキャンニングスピード設定手段１２によって手動により設定してもよく、また、これに代わって、第１のスキャンニングスピード設定手段４による第１のスキャンニングスピードの設定と同時に、第１のスキャンニングスピードの設定値に対して予め定めた比率、例えば１／１０のスキャンニングスピードに第１のスキャンニングスピードの設定と連動して自動的に設定されるようにしてもよい。
【００５６】
【発明の効果】
以上説明したように、本発明にかかる受信周波数スキャンニング装置によれば、特定の周波数範囲外においてはスキャンニングスピードは早く、特定の周波数範囲になるとスキャンニングスピードが遅くなるため、神出鬼没の信号に対してその待ち受けに実質的に時間的重みがつけられるという効果が得られる。
【００５７】
さらに、本発明にかかる受信周波数スキャンニング装置によれば、周波数ずれにより通信内容の了解が著しく困難になるＳＳＢやＣＷのような電波形式でも、目的の局が出現する周波数付近、一定の範囲を遅いスピードでスキャンニングされるため、完全に周波数がずれたまま停止するよりも内容を了解できる確率が高くなるという効果が得られる。
【００５８】
ＳＳＢやＣＷのような電波形式による通信ではほとんどの場合、周波数が微妙にずれた状態で通信が行われるために、本発明にかかる受信周波数スキャンニング装置のように、第２のスキャンニング周波数範囲内を第２のスキャンニングスピードで、周波数を微妙にゆっくりずらしていくことは、著しい不具合とならない。
【００５９】
従来の（ｂ）に記したようにスキャンニング中に予め設定した周波数でスキャンニングを一時停止させる場合、一時停止させた周波数に目的の局が存在すれば一時停止している間だけ通信内容を了解することができるが、目的の局が一時停止した周波数から完全にずれて存在しているような場合には、通信内容を全く了解することができないことになる。
【００６０】
これに対し、本発明にかかる受信周波数スキャンニング装置のように、第１のスキャンニング周波数範囲内のスキャンニング中に予め設定した第２のスキャンニング周波数範囲をゆっくりスキャンニングさせた場合に、第２のスキャンニング周波数範囲内に目的の局が存在しているときには、予め設定した周波数で一時停止させ場合に一時停止周波数において目的の局が存在したときに比較して、内容を了解することができる時間は短くなるが、目的の局がスキャンニングを一時停止させた周波数から完全にずれて存在するときには通信内容が全く了解できないという従来の（ｂ）に記した場合と比較すると、本発明にかかる受信周波数スキャンニング装置のほうが通信内容の一部でも了解することができるようになって、むしろ好都合である。
【００６１】
さらに、単純にある範囲だけスキャンスピードを変えるようにした場合に、目的の周波数が複数あるときは、そのための設定が負担になるが、本発明にかかる受信周波数スキャンニング装置によれば、この負担が殆どなくなるという効果がある。
【図面の簡単な説明】
【図１】本発明の実施の一形態にかかる受信周波数スキャンニング装置の構成を示すブロック図である。
【図２】本発明の実施の一形態にかかる受信周波数スキャンニング装置の作用の説明に供するフローチャートである。
【図３】従来の受信周波数スキャンニング装置の構成を示すブロック図である。
【図４】図３に示す受信周波数スキャンニング装置の作用の説明に供するフローチャートである。
【図５】従来の受信周波数スキャンニング装置の他の例の構成を示すブロック図である。
【図６】図５に示す受信周波数スキャンニング装置の作用の説明に供するフローチャートである。
【符号の説明】
１  受信周波数設定手段
２  第１のスキャンニング周波数範囲設定手段
３  スキャンニング開始／停止指示手段
４  第１のスキャンニングスピード設定手段
５  第２のスキャンニング中心周波数指示手段
６  スキャンニング周波数幅設定手段
７  受信回路制御手段
８  表示手段
１０  制御回路
１０−１  第１のスキャンニング制御部
１０−２  第２のスキャンニング制御部
１０−３  第２のスキャンニング周波数範囲演算部
１２  第２のスキャンニングスピード設定手段
【図１】
0003798628.tif 000002
【図２】
0003798628.tif 000003
【図３】
0003798628.tif 000004
【図４】
0003798628.tif 000005
【図５】
0003798628.tif 000006
【図６】
0003798628.tif 000007